(57)【特許請求の範囲】
【請求項１】
外気状態と熱源水の送水温度との相関を表す相関データを記憶する記憶部と、
外気状態データを取得する外気状態取得部と、
前記外気状態取得部で取得した前記外気状態データと、前記記憶部に記憶された前記相関データとに基づいて、熱源水の目標送水温度を決定する送水温度決定部と、
熱源水の送水温度が前記送水温度決定部で決定した目標送水温度になるように、熱源の運転を制御する運転制御部が備えられている熱源制御装置であって、
前記相関データが、熱源水を共用する複数の空調機から選定した代表空調機の運転に適した外気状態と熱源水の送水温度の相関を表すデータであり、
熱源水を共用する複数の前記空調機として、外気を処理対象とする空調機と、室内空気を処理対象とする空調機との二種が設けられており、これら二種の空調機のうちで外気を処理対象とする空調機が前記代表空調機として選定されている熱源制御装置。
【請求項２】
前記代表空調機として、複数の前記空調機のうちで設計時のピーク負荷に対する運転余裕が最も少ない空調機が選定されている請求項１記載の熱源制御装置。
【請求項３】
前記相関データが、冷房を行うための冷房モードで用いるデータである請求項１又は２記載の熱源制御装置。
【請求項４】
請求項１〜３のいずれか１項に記載の熱源制御装置を用いた熱源システムであって、
熱源と前記熱源制御装置とが備えられ、施設に設置される空調機のうちから選定された空調負荷が主に外気状態に影響される外気影響下の複数の空調機に対して、前記熱源制御装置の制御下で前記熱源から熱源水を送水するように構成されている熱源システム。
【発明の詳細な説明】
【技術分野】
【０００１】
本発明は、複数の空調機に熱源水を循環供給する熱源を制御する熱源制御装置、及び、熱源制御装置を用いた熱源システムに関する。
【背景技術】
【０００２】
熱源から複数の空調機に循環供給する熱源水の送水温度については、年間を通して一定の送水温度に維持する方法が最も簡便な方法として知られている。しかしながら、この方法では、中間期等の低負荷時に往き還りの熱源水の温度差がつかず、熱源の運転効率が低効率となり、しかも、年間を通して大半が低負荷運転となるため、非常に無駄なエネルギを消費する問題がある。このような問題は、低負荷時において、冷房時の熱源水の送水温度を高くし、暖房時の熱源水の送水温度を低くすることで、熱源の運転効率を大きく向上させて改善することができる。そこで、施設管理者によっては自らの経験から季節毎で送水温度を変更しているケースもあるが、夏季の低温高湿時等に送水温度を高くしてしまうと、外気除湿が不十分になって内部結露からカビの発生につながる場合もあり、経験則で安易に送水温度を変更するのも好ましくない。
【０００３】
これに対して、特許文献１には、熱源水を共用する設備全体のエネルギ消費量等のシミュレート値を評価関数とし、外気状態及び負荷状態に対する熱源水の送水温度の最適値を演算して最適化制御用データを作成し、この最適化制御用データ等を実際の運転データに即して更新しながら、最新の最適化制御用データに基づき、外気状態や負荷状態に応じた最適な送水温度になるように熱源を制御する熱源制御装置が開示されている。
【先行技術文献】
【特許文献】
【０００４】
【特許文献１】特開２０１３−１２７３４８号公報
【発明の概要】
【発明が解決しようとする課題】
【０００５】
上記従来の技術では、熱源水の送水温度調整による省エネルギ化を適切に行えるものの、設備全体のエネルギ消費量等のシミュレート値を求めるシミュレート処理や、当該シミュレート値を評価関数として最適化制御用データを作成するための演算処理、更には、実際の運転データに基づく更新処理等の多くの複雑な処理が必要になるため、装置構成や製作作業が複雑化し、コストが嵩む不都合があった。
【０００６】
この実情に鑑み、本発明の主たる課題は、熱源水の送水温度の調整による省エネルギ化
を簡易な装置構成や製作作業で安価に実現することができる熱源制御装置、及び、熱源制御装置を用いた熱源システムを提供する点にある。
【課題を解決するための手段】
【０００７】
本発明の第１特徴構成は、外気状態と熱源水の送水温度との相関を表す相関データを記憶する記憶部と、
外気状態データを取得する外気状態取得部と、
前記外気状態取得部で取得した前記外気状態データと、前記記憶部に記憶された前記相関データとに基づいて、熱源水の目標送水温度を決定する送水温度決定部と、
熱源水の送水温度が前記送水温度決定部で決定した目標送水温度になるように、熱源の運転を制御する運転制御部が備えられている熱源制御装置であって、
前記相関データが、熱源水を共用する複数の空調機から選定した代表空調機の運転に適した外気状態と熱源水の送水温度の相関を表すデータであり、
熱源水を共用する複数の前記空調機として、外気を処理対象とする空調機と、室内空気を処理対象とする空調機との二種が設けられており、これら二種の空調機のうちで外気を処理対象とする空調機が前記代表空調機として選定されている点にある。
【０００８】
上記構成によれば、外気状態取得部で外気状態データを取得し、その取得した外気状態データと記憶部に記憶された相関データとに基づいて送水温度決定部が熱源水の目標送水温度を決定し、熱源水の送水温度が目標送水温度になるように運転制御部が熱源の運転を制御するので、熱源水の送水温度調整による省エネルギ化を図ることができる。
しかも、前記相関データが、熱源水を共用する複数の空調機から選定した代表空調機の運転に適した外気状態と熱源水の送水温度の相関を表すデータであるので、各空調機の運転に適した外気状態と熱源水の送水温度の相関を表すデータとするのに比べ、相関データ作成に係る計算式やアルゴリズムを単純化することができ、装置構成や製作作業の簡素化を図ることができる。
したがって、熱源水の送水温度調整による省エネルギ化を簡易な装置構成や製作作業で安価に実現することができる。
更に、上記構成によれば、熱源水の送水温度調整の基礎となる代表空調機が、複数の空調機のうちで外気を処理対象とする空調機であるので、熱源水の送水温度調整を外気の処理を優先して実行することができる。そのため、熱源水の送水温度調整による省エネルギ化を図りながら、取り入れ外気の温調処理及び調湿処理を適切に行うことができる。
特に、冷房時においては、このように取り入れ外気の調湿処理（除湿処理）を適切に行うことで、体感温度が下がるために温調負荷を小さくでき、且つ、温調処理（顕熱処理）にも有利な低湿状態に空調対象エリアを保つことができ、その分、空調対象エリアの温調処理を効率化して更なる省エネルギ化を実現することができる。
【０００９】
本発明の第２特徴構成は、前記代表空調機として、複数の前記空調機のうちで設計時のピーク負荷に対する運転余裕が最も少ない空調機が選定されている点にある。
【００１０】
上記構成によれば、熱源水の送水温度調整の基礎となる代表空調機が、複数の空調機のうちで設計時のピーク負荷に対する運転余裕が最も少ない空調機であるので、代表空調機以外の空調機の運転に対しても安全を見込んだ状態で熱源水の送水温度調整を実行することができる。
したがって、熱源水の送水温度調整による省エネルギ化を図りながら、各空調機が受け持つ空調対象エリアの環境調整を適切に行うことができる。
【００１１】
本発明の第３特徴構成は、前記相関データが、冷房を行うための冷房モードで用いるデータである点にある。
【００１３】
また、第１〜３特徴構成のいずれかに記載の熱源制御装置に用いる前記相関データを作成する相関データ作成方法であって、
前記相関データが、前記代表空調機に適した熱交換コイルの仕様決定に用いた熱交換コ
イル仕様決定式を利用して作成されてもよい。
【００１４】
上記構成によれば、熱源水の送水温度の調整用の相関データを作成するのに、実際に代表空調機の熱交換コイルの仕様決定に用いた熱交換コイル仕様決定式を利用するので、相関データの作成処理の効率化を図ることができる。
【００１５】
本発明の第４特徴構成は、第１〜第３特徴構成のいずれかに記載の熱源制御装置を用い
た熱源システムであって、
熱源と前記熱源制御装置とが備えられ、施設に設置される空調機のうちから選定された
空調負荷が主に外気状態に影響される外気影響下の複数の空調機に対して、前記熱源制御
装置の制御下で前記熱源から熱源水を送水するように構成されている点にある。
【００１６】
上記構成によれば、施設に設置される空調機のうち、外気影響下の複数の空調機については、前記熱源制御装置の制御下で前記熱源から熱源水を送水することで、熱源水の送水温度調整による省エネルギ化を図りながら、外気状態に影響される空調負荷の実情に応じて空調対象エリアの環境調整を適切に行うことができる。他方、施設に設置される残りの空調機については、別の熱供給形態を採用する等によって内部発熱等に影響される空調負荷の実情に応じて環境調整を適切に行うことができる。したがって、施設内全体の環境調整を適切に行うことができる。
【図面の簡単な説明】
【００１７】
【図１】（ａ）熱源システムの構成図、（ｂ）施設の構成図
【図２】相関データ（冷房モード）の概念図
【図３】相関データ（暖房モード）の概念図
【図４】熱源制御装置の制御フローを示す図
【図５】空調機の運転余裕の判定手法を示す図
【発明を実施するための形態】
【００１８】
本発明に係る熱源制御装置１０を用いた熱源システム２０の実施形態を図面に基づいて説明する。この熱源システム２０は、図１（ａ）に示すように、熱源２１と熱源制御装置１０とが主要構成として備えられ、熱源制御装置１０による外気状態に応じた制御下において、熱源２１と複数の空調機２３との間で循環路２２を通じて熱源水Ｗを循環させるように構成されている。
【００１９】
熱源制御装置１０は、例えば、コンピュータ等からなり、記憶部１１、外気状態取得部１２、送水温度決定部１３、運転制御部１４が備えられ、温度センサ等の熱源送水温度計測手段２５で計測する熱源水Ｗの送水温度ＳＴを監視しながら、空調機２３に付設した温湿度センサや別途に設置した複合気象センサ等の外気状態計測手段２４で計測した外気状態データＯＤに応じた制御指令αを熱源２１に出力するように構成されている。
【００２０】
熱源２１は、例えば、熱源水Ｗを加熱する加熱部や熱源水Ｗを冷却する冷却部を備えたチラー等の冷温水発生機からなり、熱源制御装置１０からの制御指令αに応じた運転制御により、熱源水Ｗの送水温度ＳＴを調整するように構成されている。
【００２１】
熱源水Ｗの供給先となる複数の空調機２３の種別や構造は各種のものであってよいが、本実施形態では、外気を処理対象とする外調機２３Ａと、室内空気を処理対象とするＦＣＵ（ファンコイルユニット）２３Ｂとの二種がある場合を例に挙げている。
【００２２】
なお、外調機２３Ａは、例えば、ＡＨＵ（エアハンドリングユニット）からなり、取り入れた外気の温度及び湿度を調整した上で室内に導入するように構成されているとともに、ＦＣＵ２３Ｂは、取り入れた室内空気の温度を調整した上で室内に戻すように構成されている。
【００２３】
また、本実施形態では、熱源制御装置１０により外気状態に応じて熱源２１を制御することに対して、図１（ｂ）に示すように、施設１内に設置された空調機２３のうち、施設１内の外周側エリア１Ａに位置する空調機２３を、空調負荷が主に外気に影響される外気影響下の複数の空調機２３に選定し、これらの外気影響下の空調機２３に対して熱源２１から熱源水Ｗを送水（供給）することで、施設１の外周側エリア１Ａにおいて、外気状態に影響される空調負荷の実情に応じた環境調整を適切に行うようにしている。
【００２４】
他方、施設１内の中央側エリア１Ｂに設置された空調機２３は、空調負荷が外気よりも内部発熱等に影響される非外気影響下の空調機２３とし、これらの非外気影響下の空調機２３に対して熱源２１とは独立した適宜の熱源（図示省略）から熱を供給することで、内部発熱等に影響される空調負荷の実情に応じた環境調整を適切に行うようにしている。
【００２５】
そして、この熱源システム２０では、熱源制御装置１０による外気状態に応じた制御下において、複数の空調機２３から選定した代表空調機Ｘの運転に適した目標送水温度ＴＴに熱源水Ｗの送水温度ＳＴを自動的に調整することで、熱源水Ｗの送水温度ＳＴの調整による省エネルギ化を簡易な装置構成で安価に実現している。以下、熱源制御装置１０、及び、この熱源制御装置１０により実行される制御内容の詳細について説明を加える。
【００２６】
熱源制御装置１０の記憶部１１には、図２、図３に概念的に示すように、外気状態と熱源水Ｗの送水温度（候補送水温度ＣＴ）の相関を表す相関データＣＤが記憶されている。図２は冷房モードで用いる相関データＣＤを示し、図３は暖房モードで用いる相関データＣＤを示している。なお、この相関データＣＤは、熱源制御装置１０の制御動作開始前に予め作成して記憶部１１に記憶されており、熱源制御装置１０は作成済みの相関データＣＤを用いて熱源２１を制御する。
【００２７】
当該相関データＣＤは、両モードにおいて、外気状態を湿り空気線図上で区分した外気状態エリアＡ〜Ｆ（図２（ａ）、図３（ａ）参照）の各々に関連付けて、代表空調機Ｘの運転に適した候補送水温度ＣＴ（図２（ｂ）、図３（ｂ）参照）が設定されたデータ構成になっている。このように相関データＣＤを１つの代表空調機Ｘの運転に適したデータとすることで、相関データＣＤの作成処理に要する計算式やアルゴリズムを単純化している。
【００２８】
熱源制御装置１０の外気状態取得部１２は、図１（ａ）に示すように、外気状態計測手段２４との通信等により外気状態計測手段２４から外気状態データＯＤを取得するように構成されている。なお、外気状態データＯＤの取得先や取得方法は如何なるものであってよく、例えば、第三者が運営する気象情報提供サービスや気象情報提供システム等を利用し、第三者から外気状態データＯＤの提供を受けて取得するようにしてもよい。
【００２９】
熱源制御装置１０の送水温度決定部１３は、記憶部１１に記憶された相関データＣＤを読み出し、外気状態取得部１２で取得した外気状態データＯＤと照合する演算形態で、外気状態データＯＤに対応する候補送水温度ＣＴを目標送水温度ＴＴに決定するように構成されている。
【００３０】
熱源制御装置１０の運転制御部１４は、熱源水Ｗの送水温度ＳＴと目標送水温度ＴＴに応じた運転内容に変更する制御指令αを熱源２１に出力することで、熱源水Ｗの送水温度ＳＴが目標送水温度ＴＴになるように熱源２１の運転を制御するように構成されている。
【００３１】
具体的には、図４に示すように、この熱源制御装置１０は、設定時間毎や設定時刻毎、或いは、施設管理者の操作毎において、外気状態データ取得ステップ♯１、目標送水温度決定ステップ♯２、運転制御ステップ♯３を順次に実行するように構成されている。
【００３２】
まず、外気状態データ取得ステップ♯１において、熱源制御装置１０の外気状態取得部１２は、外気状態計測手段２４で計測した外気状態データＯＤを外気状態計測手段２４から取得する。なお、本実施形態では、外気状態データＯＤとして、外気の温度と湿度を取得する。
【００３３】
次に、目標送水温度決定ステップ♯２において、熱源制御装置１０の送水温度決定部１３は、記憶部１１に記憶された相関データＣＤを読み出し、外気状態データ取得ステップ♯１で取得した外気状態データＯＤが外気状態エリアＡ〜Ｆのいずれに該当するかを判定し、判定した外気状態エリアに関連付けられた候補送水温度ＣＴを目標送水温度ＴＴに決定する。
【００３４】
そして、運転制御ステップ♯３において、熱源制御装置１０の運転制御部１４は、熱源送水温度計測手段２５で計測する熱源水Ｗの送水温度ＳＴが、送水温度決定ステップ♯２で決定した目標送水温度ＴＴになるように熱源２１の運転を制御する。このようにして、熱源制御装置１０は、熱源水Ｗの送水温度ＳＴを外気状態に応じて代表空調機Ｘの運転に適した目標送水温度ＴＴに自動的に調整する。
【００３５】
次に、熱源制御装置１０の記憶部１１に記憶された相関データＣＤの詳細について説明を加える。この相関データＣＤは、熱源制御装置１０の設計時において、熱源水Ｗを共有する複数の空調機２３から代表空調機Ｘを選定する代表空調機選定ステップと、外気状態毎に代表空調機Ｘの運転に適した候補送水温度ＣＴを設定する候補送水温度設定ステップとを実行して作成する。
【００３６】
（代表空調機選定ステップ）
この代表空調機選定ステップでは、まず、熱源水Ｗの供給先の空調機２３のうちから外調機２３Ａを選定する一次選定を行い、その後、一次選定で選定した外調機２３Ａのうちから運転時のピーク負荷に対する運転余裕が最も小さいものを代表空調機Ｘとして選定する二次選定を行う。
【００３７】
図５は、二次選定において、運転時のピーク負荷に対する運転余裕の判定手法を示す図である。同図５に示すように、この二次選定では、事前の空調機設計の際に外調機２３Ａ毎に設置環境に応じて算出した必要コイル列数Ｒｏｗｃと、空調機設計で実際に決定した決定コイル列数Ｚとの差（Ｚ−Ｒｏｗｃ）をピーク負荷に対する運転余裕とし、この運転余裕が最も小さいものを代表空調機Ｘに選定する。例えば、図５の例では、運転余裕が最も小さい外調機２３Ａとして上から二列目の外調機ｂを代表空調機Ｘに選定する。
【００３８】
外調機２３Ａ毎の必要コイル列数Ｒｏｗｃについては、公知の各種のコイル列数算出式（コイル仕様決定式の一例）で算出可能であるが、本実施形態では、次の（式１）を採用している。
Ｒｏｗｃ＝１０００×ｑｔ／（Ｋｆ×Δｔｌｍ×Ａｆ×ＷＳＦ）  （式１）
Ｒｏｗｃ：必要コイル列数［本］
Ａｆ：コイル正面面積［ｍ２］（設定値）
ＷＳＦ：濡れ面係数（設定値）
Ｋｆ：伝熱係数（設定値）
Δｔｌｍ：対数平均温度差［℃］
ｑｔ：空調負荷［ｋＷ］
【００３９】
ここで、（式１）で用いる対数平均温度差Δｔｌｍは、以下の（式２）に対し、（式３−１）と（式３−２）を代入して求める。
Δｔｌｍ＝（Δｔ１−Δｔ２）／（２．３×ｌｏｇ１０（Δｔ１／Δｔ２））  （式２）
Δｔ１＝ＤＢ１Ｃ−ｔｗ２Ｃ＝ＤＢ１Ｃ−（ｔｗ１Ｃ＋ＷＴＲＣ）  （式３−１）
Δｔ２＝ＤＢ２Ｃ−ｔｗ１Ｃ  （式３−２）
ＤＢ１Ｃ：入口空気乾球温度［℃］（設定値：ピーク負荷時）
ＷＢ１Ｃ：入口空気湿球温度［℃］（設定値：ピーク負荷時）
ｔｗ１Ｃ：熱源水入口温度［℃］（設定値：目標値）
ＷＴＲＣ：熱源水出入口温度差［℃］（設定値：目標値）
ｔｗ２Ｃ：熱源水出口温度［℃］（＝ｔｗ１Ｃ＋ＷＴＲＣ）
ＤＢ２Ｃ：出口空気乾球温度［℃］（設定値：目標値）
ＷＢ２Ｃ：出口空気湿球温度［℃］（設定値：目標値）
【００４０】
また、（式１）で用いる空調負荷（ピーク負荷）ｑｔは、以下の（式４）から求める。
ｑｔ＝Ｑｒ×γａ×（ｉａ１−ｉａ２）／３６００  （式４）
ｑｔ：空調負荷・全熱量［ｋＷ］
Ｑｒ：所要風量［ｍ３／ｈ］（設定値）
γａ：空気密度［ｋｇ／ｍ３］（設定値）
ｉａ１：入口空気比エンタルピー［ｋＪ／ｋｇ（ＤＡ）］
（設定値：ＤＢ１ＣとＷＢ１Ｃから湿り空気線図で算出した値）
ｉａ２：出口空気比エンタルピー［ｋＪ／ｋｇ（ＤＡ）］
（設定値：ＤＢ２ＣとＷＢ２Ｃから湿り空気線図で算出した値）
【００４１】
（候補送水温度設定ステップ）
この候補送水温度設定ステップでは、外気状態を湿り空気線図上で区分した外気状態エリアＡ〜Ｆ（図２（ａ）、図３（ａ）参照）を作成するとともに、この外気状態エリアＡ〜Ｆの夫々で代表空調機Ｘの運転に適した熱源水Ｗの候補送水温度ＣＴ（図２（ｂ）、図３（ｂ）参照）を設定する。
【００４２】
外気状態エリアＡ〜Ｆは、図２（ａ）、図３（ａ）に示すように、湿り空気線図上において、相対湿度限界線ＬＬ１、乾球温度限界線ＬＬ２、絶対湿度限界線ＬＬ３と、送水温度毎の最適な外気状態を示す複数本の外気状態線ＳＬで仕切られたエリアとして構成されている。なお、図３（ａ）に示す暖房モードの相関データＣＤでは、暖房運転時における外調機２３Ａの高温側（乾球温度）での加湿能力を予め見込み、絶対湿度限界線ＬＬ３を低温側のみに設定している。
【００４３】
この外気状態線ＳＬは、各種の方法で求めることができるが、本実施形態では、空調機設計に用いた前述のコイル列数算出式（式１）を利用して効率的に求める。
【００４４】
具体的には、まず、前述の（式１）において、実際の代表空調機Ｘを熱源水Ｗの送水温度調整の基礎とするため、代表空調機Ｘの決定コイル列数Ｚを必要コイル列数Ｒｏｗｃに代入し、更に、コイル正面面積Ａｆ、濡れ面係数ＷＳＦ、伝熱係数Ｋｆを代表空調機Ｘの必要コイル列数Ｒｏｗｃの算出に用いた設定値とすることで、次の（式５）に示すように、対数平均温度差Δｔｌｍは、空調負荷ｑｔを変数とした関数Ａで表すことができる。
Ｒｏｗｃ＝１０００×ｑｔ／（Ｋｆ×Δｔｌｍ×Ａｆ×ＷＳＦ）  （式１）
→Δｔｌｍ＝Ａ（ｑｔ）  （式５）
Δｔｌｍ：対数平均温度差［℃］
ｑｔ：空調負荷・全熱量［ｋＷ］
【００４５】
また、前述した（式４）において、所要風量Ｑｒ、空気密度γａ、出口空気比エンタルピーｉａ２を代表空調機Ｘの必要コイル列数Ｒｏｗｃの算出に用いた設定値とすることで、次の（式６）に示すように、空調負荷ｑｔは、入口空気比エンタルピーｉａ１を変数とした関数Ｂで表すことができる。
ｑｔ＝Ｑｒ×γａ×（ｉａ１−ｉａ２）／３６００  （式４）
→  ｑｔ＝Ｂ（ｉａ１）  （式６）
ｑｔ：空調負荷・全熱量［ｋＷ］
ｉａ１：入口空気比エンタルピー［ｋＪ／ｋｇ（ＤＡ）］
【００４６】
そして、（式５）と（式６）とを整理すると、次の（式７）に示すように、対数平均温度差Δｔｌｍは入口空気比エンタルピーｉａ１を変数とした関数Ｃで表すことができる。
Δｔｌｍ＝Ｃ（ｉａ１）  （式７）
Δｔｌｍ：対数平均温度差［℃］
ｉａ１：入口空気比エンタルピー［ｋＪ／ｋｇ（ＤＡ）］
【００４７】
更に、前述の（式２）、（式３−１）、（式３−２）において、出口空気乾球温度ＤＢ２Ｃを代表空調機Ｘの必要コイル列数Ｒｏｗｃの算出に用いた設定値とすることで、次の（式８）に示すように、対数平均温度差Δｔｌｍは、入口空気乾球温度ＤＢ１Ｃ、熱源水出入口温度差ＷＴＲｃ、及び、熱源水入口温度ｔｗ１Ｃを変数とした関数Ｄで表すことができる。
Δｔｌｍ＝（Δｔ１−Δｔ２）／（２．３×ｌｏｇ１０（Δｔ１／Δｔ２））  （式２）
Δｔ１＝ＤＢ１Ｃ−ｔｗ２Ｃ＝ＤＢ１Ｃ−（ｔｗ１Ｃ＋ＷＴＲＣ）  （式３−１）
Δｔ２＝ＤＢ２Ｃ−ｔｗ１Ｃ  （式３−２）
→Δｔｌｍ＝Ｄ（ＤＢ１Ｃ，ＷＴＲＣ，ｔｗ１Ｃ）  （式８）
Δｔｌｍ：対数平均温度差［℃］
ＤＢ１Ｃ：入口空気乾球温度［℃］
ＷＴＲｃ：熱源水出入口温度差［℃］
ｔｗ１Ｃ：熱源水入口温度［℃］
【００４８】
また、熱交換コイルを通過する熱源水流量Ｗｃ［ｌ／ｍｉｎ］を算出する以下の（式９）において、熱源水流量Ｗｃを設定値とすることで、次の（式１０）に示すように、熱源水出入口温度差ＷＴＲｃは、空調負荷ｑｔを変数とした関数Ｅで表すことができる。
Ｗｃ＝６０×ｑｔ／（４．１８６×ＷＴＲｃ）  （式９）
→ＷＴＲｃ＝Ｅ（ｑｔ）  （式１０）
ＷＴＲｃ：熱源水出入口温度差［℃］
ｑｔ：空調負荷・全熱量［ｋＷ］
【００４９】
この（式１０）と（式６）とを整理すると、次の（式１１）に示すように、熱源水出入口温度差ＷＴＲｃは、入口空気比エンタルピーｉａ１を変数とした関数Ｆで表すことができる。
ＷＴＲｃ＝Ｆ（ｉａ１）  （式１１）
ＷＴＲｃ：熱源水出入口温度差［℃］
ｉａ１：入口空気比エンタルピー［ｋＪ／ｋｇ（ＤＡ）］
【００５０】
次に、（式１１）と（式８）を整理すると、次の式（式１２）に示すように、対数平均温度差Δｔｌｍは、入口空気乾球温度ＤＢ１Ｃ、入口空気比エンタルピーｉａ１、及び、熱源水入口温度ｔｗ１Ｃを変数とした関数Ｇで表すことができる。
を求める。
Δｔｌｍ＝Ｇ（ＤＢ１Ｃ，ｉａ１，ｔｗ１Ｃ）  （式１２）
Δｔｌｍ：対数平均温度差［℃］
ＤＢ１Ｃ：入口空気乾球温度［℃］
ｉａ１：入口空気比エンタルピー［ｋＪ／ｋｇ（ＤＡ）］
ｔｗ１Ｃ：熱源水入口温度［℃］
【００５１】
この（式１２）と（式７）とを整理すれば、熱源水入口温度ｔｗ１Ｃと、入口空気乾球温度ＤＢ１Ｃと、入口空気比エンタルピーｉａ１との三者の相関を示す（式１３）を求めることができる。
Ｃ（ｉａ１）＝Ｇ（ＤＢ１Ｃ，ｉａ１，ｔｗ１Ｃ）  （式１３）
ｔｗ１Ｃ：熱源水入口温度［℃］
ｉａ１：入口空気比エンタルピー［ｋＪ／ｋｇ（ＤＡ）］
ＤＢ１Ｃ：入口空気乾球温度［℃］
【００５２】
この（式１３）において、例えば１℃毎等で熱源水入口温度ｔｗ１Ｃを変化させることで、熱源水入口温度ｔｗ１Ｃ（つまり、候補送水温度ＣＴ）に応じた入口空気乾球温度ＤＢ１Ｃと入口空気比エンタルピーｉａ１との相関を示す外気状態関係式を求め、これらの外気状態関係式を外気状態線ＳＬとして設定する。なお、例えば、当該外気状態関係式から相対湿度限界線ＬＬ１上に外気状態点をプロットし、この外気状態点と比エンタルピーが等しい等比エンタルピー線を外気状態線ＳＬとしてもよい。
【００５３】
そして、図２に示す冷房モードの相関データＣＤでは、各外気状態線ＳＬに対応する熱源水入口温度ｔｗ１Ｃを、当該外気状態線ＳＬを下限とする外気状態エリアの候補送水温度ＣＴに設定するとともに、図３に示す暖房モードの相関データＣＤでは、各外気状態線ＳＬに対応する熱源水入口温度ｔｗ１Ｃを、当該外気状態線ＳＬを上限とする外気状態エリアの候補送水温度ＣＴに設定し、相関データＣＤの作成処理を完了する。
【００５４】
〔別実施形態〕
（１）前述の実施形態では、熱源水Ｗを共用する空調機２３（外調機２３Ａ、ＦＣＵ２３Ｂ）から外調機２３Ａを選定した上で、外調機２３Ａのうちで設計時のピーク負荷に対する運転余裕が最も少ないものを代表空調機Ｘとする場合を例に示したが、例えば、外調機２３ＡとＦＣＵ２３Ｂとを区別せず、熱源水Ｗを共用する全ての空調機２３のうちで設計時のピーク負荷に対する運転余裕が最も少ないものを代表空調機Ｘとしてもよく、代表空調機Ｘは設置環境や使用目標等に応じて適宜に選択すればよい。
【００５５】
（２）相関データＣＤの具体的構成は、前述の実施形態で示した構成に限らず、代表空調機Ｘの運転に適した外気状態と熱源水Ｗの送水温度（候補送水温度ＣＴ）との相関を表すものであれば種々の構成を採用することができる。また、相関データＣＤの具体的な作成方法も種々の方法を採用することができる。
【００５６】
（３）前述の実施形態では、熱源制御装置１０の制御下で熱源２１から熱源水Ｗを循環供給する空調機２３を、施設１内の外周側エリア１Ａに位置する空調機２３とする場合を例に示したが、施設１内の全ての空調機２３にしたり、施設１内の外調機２３Ａだけにしてもよい。
【符号の説明】
【００５７】
１          施設
１０        熱源制御装置
１１        記憶部
１２        外気状態取得部
１３        送水温度決定部
１４        運転制御部
２０        熱源システム
２１        熱源
２３        空調機
２３Ａ      外調機
ＣＤ        相関データ
ＯＤ        外気状態データ
ＴＴ        目標送水温度
Ｗ          熱源水
Ｘ          代表空調機
【図１】
0006577760.tif 000002
【図２】
0006577760.tif 000003
【図３】
0006577760.tif 000004
【図４】
0006577760.tif 000005
【図５】
0006577760.tif 000006